(57)【特許請求の範囲】
【請求項１】
電子ペーパーおよび紙媒体を読取る機能を有する画像読取装置であって、
電子データを記憶する電子データ記憶手段および外部と通信する第１の通信手段を有する前記電子ペーパーと前記紙媒体との一方または双方を原稿として載置する原稿載置手段と、
前記第１の通信手段と通信する第２の通信手段を有し、前記原稿載置手段に載置された前記原稿の搬送が開始される前に前記第１の通信手段と通信して前記電子データ記憶手段に記憶された電子データを読取る通信読取手段と、
前記第１の通信手段と通信する第３の通信手段を有し、前記原稿の搬送が開始された後に前記第１の通信手段と通信して前記原稿の媒体種別が電子ペーパーであるか紙媒体であるかを前記原稿載置手段の載置順に判別する判別手段と、
前記判別手段の判別に基づいて前記原稿を前記原稿載置手段に対して搬送方向下流の読取位置へ搬送する搬送手段と、
前記判別手段の判別に基づいて、前記電子ペーパーを前記紙媒体の読取搬送に比べて高速に搬送するよう、前記搬送手段の搬送速度を制御する搬送制御手段と、
前記読取位置で前記紙媒体の画像を光学的に読取り、前記画像の電子データを取得する光学読取手段と、
を備えたことを特徴とする画像読取装置。
【請求項２】
前記通信読取手段により読取られた前記電子ペーパーの電子データを前記載置順に整列する電子データ整列手段を備え、
前記通信読取手段は、前記電子ペーパーに付与された固有の識別情報を含む前記電子ペーパーの全ての電子データを読取り、
前記判別手段は、前記電子データ記憶手段に記憶された前記固有の識別情報の電子データを読取ったことに基づいて前記原稿の媒体種別が前記電子ペーパーであると判別し、
前記電子データ整列手段は、前記通信読取手段によって読取られた前記固有の識別情報の電子データと前記判別手段によって前記載置順に読取られた前記固有の識別情報の電子データとに基づいて前記電子ペーパーの電子データを前記載置順に整列することを特徴とする請求項１に記載の画像読取装置。
【請求項３】
前記判別手段は、前記固有の識別情報の電子データを読取れないことに基づいて前記原稿の媒体種別か前記紙媒体であると判別し、
前記電子データ整列手段は、前記判別手段によって前記載置順に判別された前記原稿の媒体種別に基づいて、前記光学読取手段によって読取られた前記紙媒体の画像の電子データと前記通信読取手段によって読取られた前記電子ペーパーの電子データとを前記載置順に整列することを特徴とする請求項２に記載の画像読取装置。
【請求項４】
前記判別手段は、前記原稿載置手段と前記読取位置との間で前記原稿の媒体種別を判別することを特徴とする請求項１から請求項３のいずれか１項に記載の画像読取装置。
【請求項５】
前記判別位置に対して搬送方向下流に、読取り後の原稿を排紙するための排紙載置手段を備え、
前記搬送制御手段は、前記判別手段の判別に基づいて前記電子ペーパーを前記紙媒体の読取搬送に比べて高速に前記排紙載置手段に向けて前記紙媒体と同一の経路で搬送するよう前記搬送手段の搬送を制御することを特徴とする請求項１に記載の画像読取装置。
【請求項６】
前記電子データ整列手段によって前記載置順に整列された前記紙媒体の画像の電子データと前記電子ペーパーの電子データとを共通の形式で蓄積する電子データ蓄積手段を備えたことを特徴とする請求項１から請求項５のいずれか１項に記載の画像読取装置。
【請求項７】
請求項１から請求項６のいずれか１項に記載の画像読取装置と、
前記通信読取手段により読取られた電子データおよび前記光学読取手段により取得された電子データに基づいて所定の用紙に画像を形成する画像形成手段と、を備えたことを特徴とする画像形成装置。
【請求項８】
コンピュータに、通信読取手段が、電子データを記憶する電子データ記憶手段および外部と通信する第１の通信手段を有する電子ペーパーの原稿に対して、前記原稿の搬送以前に第２の通信手段により所定の信号を送信し、前記電子データ記憶手段に記憶された電子データを読取るよう制御する通信読取制御機能と、
判別手段が、前記原稿の搬送中に前記原稿の媒体種別が電子ペーパーであるか紙媒体であるかを判別するよう制御する判別制御機能と、
前記判別手段の判別に基づいて、前記電子ペーパーを前記紙媒体の読取搬送に比べて高速に搬送するよう、搬送手段が前記原稿を読取位置へ搬送する搬送速度を制御する搬送制御機能と、
前記判別手段の判別に基づいて、光学読取手段が、前記原稿の画像を光学的に読取るように制御する光学読取制御機能と、
を実現させるためのプログラム。
【請求項９】
前記コンピュータに、
前記通信読取手段が、前記電子ペーパーに付与された固有の識別情報を含む前記電子ペーパーの全ての電子データを読取るよう制御する前記通信読取制御機能と、
前記判別手段が、第３の通信手段によって前記第１の通信手段と通信し、前記固有の識別情報の電子データを読取ったことに基づいて前記原稿の媒体種別が前記電子ペーパーであると判別するよう制御する前記判別制御機能と、
電子データ整列手段が、前記通信読取手段によって読取られた前記固有の識別情報の電子データと前記判別手段によって読取られた前記固有の識別情報の電子データとに基づいて前記電子ペーパーの電子データを搬送順に整列するよう制御する電子データ整列制御機能と、
を実現させるための請求項８に記載のプログラム。
【請求項１０】
前記コンピュータに、
前記判別手段が、前記固有の識別情報の電子データを読取れないことに基づいて前記原稿の媒体種別か前記紙媒体であると判別するよう制御する前記判別制御機能と、
前記電子データ整列手段が、前記判別手段によって搬送順に判別された前記原稿の媒体種別に基づいて、前記光学読取手段によって読取られた前記紙媒体の画像の電子データと前記通信読取手段によって読取られた前記電子ペーパーの電子データとを搬送順に整列するよう制御する前記電子データ整列制御機能と、
を実現させるための請求項９に記載のプログラム。
【発明の詳細な説明】
【技術分野】
【０００１】
本発明は、電子ペーパーおよび紙媒体を読取る機能を有する画像読取装置、画像形成装置、電子ペーパーおよびプログラムに関するものである。
【背景技術】
【０００２】
従来、生産性、省スペースなどの理由から、スキャナ部分を固定し、原稿を所定の速度で搬送することにより画像を取得する、シートスルー方式に対応可能な画像読取装置が普及している。この種の画像読取装置は、原稿載置台に積載された複数のシート状の紙媒体（薄紙、厚紙等）の種類あるいは読取倍率に応じて搬送速度を設定し、複数枚の原稿を効率的に読取るようにしている（例えば、特許文献１参照）。
【０００３】
一方、紙媒体と電子ディスプレイの長所を併せ持つ電子媒体（以下「電子ペーパー」ともいう）が開発されている。この種の電子ペーパーは、例えば、電気泳動現象を利用したディスプレイを採用している（例えば、特許文献２参照）。このディスプレイは、透明な液体が満たされたマイクロカプセル中に正負に帯電した白い粒子（例えば、酸化チタン）と黒い粒子（例えば、カーボンブラック）とを入れ、これを透明な基材面にコーティングし、外部電圧の印加によってそれぞれの粒子を表示面に引き上げて画像を形成するものである。また、この種の電子ペーパーは、ＵＳＢ（Universal Serial Bus）を介してパーソナルコンピュータと接続可能であって、前記パーソナルコンピュータが前記ディスプレイに表示する電子データを更新し、あるいは前記ディスプレイのメモリに蓄積された電子データを読み出すようにしている。さらに、前記ディスプレイをポリマー・フィルムで形成することも従来から研究されている。
【特許文献１】特開２０００−１５１９２５号公報
【特許文献２】特開２００６−２１９１６４号公報
【発明の開示】
【発明が解決しようとする課題】
【０００４】
しかしながら、従来の画像読取装置においては、紙媒体と電子ペーパーの双方を読取ることについては配慮がなされておらず、さらに改善の余地がある。
【０００５】
本発明は、従来の問題を解決するためになされたもので、紙媒体と電子ペーパーの双方を読取ることのできる画像読取装置、画像形成装置、電子ペーパーおよびプログラムを提供することを目的とする。
【課題を解決するための手段】
【０００６】
（１）本発明の画像読取装置は、電子ペーパーおよび紙媒体を読取る機能を有する画像読取装置であって、電子データを記憶する電子データ記憶手段および外部と通信する第１の通信手段を有する前記電子ペーパーと前記紙媒体との一方または双方を原稿として載置する原稿載置手段と、前記第１の通信手段と通信する第２の通信手段を有し、前記原稿載置手段に載置された前記原稿の搬送が開始される前に前記第１の通信手段と通信して前記電子データ記憶手段に記憶された電子データを読取る通信読取手段と、前記第１の通信手段と通信する第３の通信手段を有し、前記原稿の搬送が開始された後に前記第１の通信手段と通信して前記原稿の媒体種別が電子ペーパーであるか紙媒体であるかを前記原稿載置手段の載置順に判別する判別手段と、前記判別手段の判別に基づいて前記紙媒体を前記原稿載置手段に対して搬送方向下流の読取位置へ搬送する搬送手段と、前記判別手段の判別に基づいて、前記電子ペーパーを前記紙媒体の読取搬送に比べて高速に搬送するよう、前記搬送手段の搬送速度を制御する搬送制御手段と、前記読取位置で前記紙媒体の画像を光学的に読取り、前記画像の電子データを取得する光学読取手段と、を備えた構成を有している。
【０００７】
ここで、電子ペーパーは、電子データを例えば頁ごとに管理し、頁ごとの電子データを画像に変換して表示するように構成されている。また、紙媒体および電子ペーパーに表示された画像には、文字（テキスト）、図形、写真等が含まれる。電子データには、文字（テキスト）、図形、写真等の電子データが含まれる。
【０００８】
（２）本発明の画像読取装置においては、前記通信読取手段により読取られた前記電子ペーパーの電子データを前記載置順に整列する電子データ整列手段を備え、前記通信読取手段は、前記電子ペーパーに付与された固有の識別情報を含む前記電子ペーパーの全ての電子データを読取り、前記判別手段は、前記電子データ記憶手段に記憶された前記固有の識別情報の電子データを読取ったことに基づいて前記原稿の媒体種別が前記電子ペーパーであると判別し、前記電子データ整列手段は、前記通信読取手段によって読取られた前記固有の識別情報の電子データと前記判別手段によって前記載置順に読取られた前記固有の識別情報の電子データとに基づいて前記電子ペーパーの電子データを前記載置順に整列する構成を有している。
【０００９】
（３）本発明の画像読取装置においては、前記判別手段は、前記固有の識別情報の電子データを読取れないことに基づいて前記原稿の媒体種別か前記紙媒体であると判別し、前記電子データ整列手段は、前記判別手段によって前記載置順に判別された前記原稿の媒体種別に基づいて、前記光学読取手段によって読取られた前記紙媒体の画像の電子データと前記通信読取手段によって読取られた前記電子ペーパーの電子データとを前記載置順に整列する構成を有している。
【００１０】
（４）本発明の画像読取装置においては、前記判別手段は、前記原稿載置手段と前記読取位置との間で前記原稿の媒体種別を判別する構成を有している。
【００１１】
（５）本発明の画像読取装置においては、前記判別位置に対して搬送方向下流に、読取り後の原稿を排紙するための排紙載置手段を備え、前記搬送制御手段は、前記判別手段の判別に基づいて前記電子ペーパーを前記紙媒体の読取搬送に比べて高速に前記排紙載置手段に向けて前記紙媒体と同一の経路で搬送するよう前記搬送手段の搬送を制御する構成を有している。
【００１２】
（６）本発明の画像読取装置においては、前記電子データ整列手段によって前記載置順に整列された前記紙媒体の画像の電子データと前記電子ペーパーの電子データとを共通の形式で蓄積する電子データ蓄積手段を備えた構成を有している。
【００１５】
（７）本発明の画像形成装置は、請求項１から請求項６のいずれか１項に記載の画像読取装置と、前記通信読取手段により読取られた電子データおよび前記光学読取手段により取得された電子データに基づいて所定の用紙に画像を形成する画像形成手段と、を備えた構成を有している。
【００１７】
（８）本発明のプログラムは、コンピュータに、通信読取手段が、電子データを記憶する電子データ記憶手段および外部と通信する第１の通信手段を有する電子ペーパーの原稿に対して、前記原稿の搬送以前に第２の通信手段により所定の信号を送信し、前記電子データ記憶手段に記憶された電子データを読取るよう制御する通信読取制御機能と、判別手段が、前記原稿の搬送中に前記原稿の媒体種別が電子ペーパーであるか紙媒体であるかを判別するよう制御する判別制御機能と、前記判別手段の判別に基づいて、前記電子ペーパーを前記紙媒体の読取搬送に比べて高速に搬送するよう、搬送手段が前記原稿を読取位置へ搬送する搬送速度を制御する搬送制御機能と、前記判別手段の判別に基づいて、光学読取手段が、前記原稿の画像を光学的に読取るように制御する光学読取制御機能と、を実現させている。
【００１８】
（９）本発明のプログラムにおいては、前記コンピュータに、前記通信読取手段が、前記電子ペーパーに付与された固有の識別情報を含む前記電子ペーパーの全ての電子データを読取るよう制御する前記通信読取制御機能と、前記判別手段が、第３の通信手段によって前記第１の通信手段と通信し、前記固有の識別情報の電子データを読取ったことに基づいて前記原稿の媒体種別が前記電子ペーパーであると判別するよう制御する前記判別制御機能と、電子データ整列手段が、前記通信読取手段によって読取られた前記固有の識別情報の電子データと前記判別手段によって読取られた前記固有の識別情報の電子データとに基づいて前記電子ペーパーの電子データを搬送順に整列するよう制御する電子データ整列制御機能と、を実現させている。
【００１９】
（１０）本発明のプログラムにおいては、前記コンピュータに、前記判別手段が、前記固有の識別情報の電子データを読取れないことに基づいて前記原稿の媒体種別か前記紙媒体であると判別するよう制御する前記判別制御機能と、前記電子データ整列手段が、前記判別手段によって搬送順に判別された前記原稿の媒体種別に基づいて、前記光学読取手段によって読取られた前記紙媒体の画像の電子データと前記通信読取手段によって読取られた前記電子ペーパーの電子データとを搬送順に整列するよう制御する前記電子データ整列制御機能と、を実現させている。
【発明の効果】
【００２０】
本発明は、原稿載置手段に電子ペーパーを載置した状態で、通信読取手段により前記電子ペーパーの電子データを読取り、紙媒体については読取位置で光学読取手段により画像を読取るようにしたことにより、紙媒体と電子ペーパーの双方を読取ることができるという効果を有する画像読取装置を提供することができる。
【００２１】
請求項１の発明によれば、原稿載置手段に載置された電子ペーパーと通信して電子データを読取る通信読取手段を設けることにより、原稿載置手段に載置された複数の電子ペーパーを一括して読取ることができ、分離給紙後に１枚ずつ読取る場合に比べて電子ペーパーの読取り速度が向上する。また、紙媒体については、従前どおり光学的に読取ることができるので、読取速度を維持することがでる。よって、電子ペーパーと紙媒体という媒体種別の異なる原稿が混載された場合にも原稿の読取速度が向上することになる。
【００２２】
請求項２の発明によれば、例えば、固有の識別情報が付与された電子ペーパーの電子データを複数枚分、一括して読取った後、前記識別情報を順次取得（載置順（搬送順）に取得）して一括読取り時に取得したものと照合することにより、前記電子ペーパーの電子データを載置順に整列することができる。よって、紙媒体と電子ペーパーとが混載されているか否かに関らず、複数の電子ペーパーの一括読取りおよび載置順の整列を行うことができる。
【００２３】
請求項３の発明によれば、例えば、原稿としてそれぞれに固有の識別情報が付与された複数の電子ペーパーと、紙媒体とを混載し、前記電子ペーパーの電子データを複数枚分、一括して読取った後、前記原稿の媒体種別の情報を順次取得して異なる媒体種別の載置順を判別し、電子ペーパーについては順次取得した識別情報を一括読取り時に取得したものと照合して、前記電子ペーパーの載置順を判別することにより、混載された複数の電子ペーパーおよび紙媒体の電子データを載置順に整列することができる。
【００２４】
請求項４の発明によれば、原稿載置手段と読取位置との間で原稿の媒体種別の情報を順次取得することにより、紙媒体については読取位置で光学読取手段による読取りを行い、電子ペーパーについては光学読取手段による読取りを行わずに排紙するよう搬送制御を行うことができる。
【００２５】
請求項５の発明によれば、電子ペーパーについては少なくとも読取位置近傍（例えば、レジスト停止位置）から排紙載置手段まで紙媒体に比べて高速搬送を行うので、紙媒体のみを読取る場合に比べて１枚当りの搬送速度を向上させることができる。
【００２６】
請求項６の発明によれば、例えば、複数の電子ペーパーおよび紙媒体の電子データを載置順に整列して共通の形式で蓄積することにより、画像として出力する場合、あるいはネットワーク等の通信手段を介して他装置へ転送する場合等、蓄積された電子データの活用が容易となる。
【００２９】
請求項７の発明によれば、前述した請求項１から請求項６の発明に係る効果を有する画像形成装置を提供することができる。
【００３１】
請求項８の発明によれば、コンピュータのハードウェア資源を用いて、原稿としての電子ペーパーの電子データを搬送以前に通信読取手段によって読取り、前記原稿の媒体種別が電子ペーパーであるか紙媒体であるかを判別手段によって判別し、判別結果に応じて搬送手段により前記原稿を読取位置に搬送して光学読取手段により光学的に読取る機能を実現させることにより、画像読取装置または画像形成装置において電子ペーパーと紙媒体という媒体種別の異なる原稿が混載された場合にも読取り可能であって原稿の読取速度が向上するという効果が得られるプログラムを提供することができる。
【００３２】
請求項９の発明によれば、前記コンピュータのハードウェア資源を用いて、原稿としての電子ペーパーの固有の識別情報を含む電子データを通信読取手段によって搬送以前に読取った後、判別手段に具備された通信手段によって前記固有の識別情報の電子データを順次読取り、双方の固有の識別情報の電子データを照合して電子ペーパーの載置順を判別し、複数の電子ペーパーの電子データを前記載置順に整列する機能を実現させることにより、画像読取装置または画像形成装置において紙媒体と電子ペーパーとが混載されているか否かに関らず、複数の電子ペーパーの一括読取りおよび載置順の整列を行うことができるという効果が得られるプログラムを提供することができる。
【００３３】
請求項１０の発明によれば、前記コンピュータのハードウェア資源を用いて、判別手段に具備された通信手段によって原稿の媒体種別を順次判別し、前記原稿の媒体種別に基づいて、光学読取手段によって読取られた紙媒体の画像の電子データと通信読取手段によって読取られた電子ペーパーの電子データとを載置順に整列する機能を実現させることにより、画像読取装置または画像形成装置において混載された複数の電子ペーパーおよび紙媒体の電子データを載置順に整列することができるという効果が得られるプログラムを提供することができる。
【発明を実施するための最良の形態】
【００３４】
以下、本発明の実施の一形態について、図面を用いて説明する。
【００３５】
図１〜図１４は本発明に係る画像読取装置、この画像読取装置を備えた画像形成装置、電子ペーパーおよびプログラムの一実施の形態を示す図であり、本実施の形態では、画像形成装置を複写機に適用した例を示している。
【００３６】
なお、画像形成装置としては複写機以外にファクシミリ装置、プリンタ装置、複写機能とファクシミリ機能等を備えた複合機等に適用することができる。また、画像読取装置としては、スキャナ装置、ファクシミリ装置、複写機能とファクシミリ機能等を備えた複合機等に適用することができる。
【００３７】
まず、構成を説明する。図１において、複写機２１の本体２１ａの上面には透光性部材からなるコンタクトガラス２２ａ（図２参照）が設けられており、このコンタクトガラス２２ａに隣接する本体の上面にはコンタクトガラス２２ａよりも小面積の透光性部材からなるスリットガラス２２ｂ（図２参照）が設けられている。
【００３８】
また、本体２１ａの上部には自動原稿搬送装置（以下、ＡＤＦともいう）２３が設けられており、このＡＤＦ２３は図示しないヒンジ機構を介してコンタクトガラス２２ａを開放および閉塞するように開閉自在になっている。
【００３９】
図２〜図６に基づいてＡＤＦ２３の構成を説明する。図２はＡＤＦ２３の構成を示す断面図である。図３は第１通信読取部８０１および第２通信読取部８０２の構成を示すブロック図である。図４、図５は電子ペーパー９００の構成を示す概略図およびブロック図である。図６はＡＤＦ２３の制御系を示すブロック図である。
【００４０】
図２において、ＡＤＦ２３は用紙載置台としての原稿テーブル２４を備えており、この原稿ケーブル２４には原稿面が上向きになるように原稿束Ｐが載置されるようになっている。この原稿束Ｐは、紙媒体または電子ペーパーのいずれかまたは双方が積載されたものである。
【００４１】
原稿テーブル２４のテーブル面には原稿の長さを検出する原稿長さ検出手段としての原稿長さ検出センサ２５〜２７が設けられており、この原稿長さ検出センサ２５〜２７はそれぞれ隣接する一対の受光素子および発光素子を備えている。
【００４２】
したがって、原稿長さ検出センサ２５〜２７は少なくとも同一原稿サイズの縦か横かを判別可能なように原稿テーブル２４のテーブル面に配置されている。コントローラ１００は受光素子から入力した情報に基づいて原稿テーブル２４に載置された原稿束Ｐの搬送方向長さを判別する。
【００４３】
また、原稿テーブル２４に対して原稿の搬送方向下流側にはストッパ部材としてのストッパ爪２８が設けられており、このストッパ爪２８は呼出しモータ１０１によって原稿束Ｐの先端が突当てられる突当て位置（破線で示す位置）と原稿束Ｐの先端から退避する退避位置（実線で示す位置）の間で移動されるようになっている。
【００４４】
したがって、ストッパ爪２８が突当て位置にあるときに原稿束Ｐの先端が突当てられることにより、原稿束Ｐの先端を揃えるようになっている。また、原稿束Ｐの幅方向は原稿テーブル２４上に設けられた図示しないサイドフェンスに突当てられることにより、搬送方向と直行する方向の位置決めが行われるようになっている。
【００４５】
また、ストッパ爪２８が下方に移動すると、このストッパ爪２８はホームポジョンセンサ３４によって検出されるようになっており、ホームポジションセンサ３４は検出情報をコントローラ１００に出力する。
【００４６】
また、原稿束Ｐの先端側の原稿ケーブル２４上にはセットフィラー２９および原稿セットセンサ３０が設けられており、セットフィラー２９は原稿テーブル２４に原稿束Ｐが載置されたときに原稿束Ｐの先端に押圧されて破線で示す位置から実線で示す位置に移動し、原稿セットセンサ３０がこのセットフィラー２９を未検出の状態から検出した状態に変化すると、コントローラ１００に信号を出力する。
【００４７】
コントローラ１００はＩ／Ｆ１０７を介して複写機２１の本体２１ａに設けられた本体制御部１１１に接続されており、このＩ／Ｆ１０７に信号を出力する。本体制御部１１１はこの入力信号に基づいて本体２１ａ側で、画像読取部８１による原稿の光学的読取りを行うための待機状態に移行する。
【００４８】
ストッパ爪２８の上方には呼出し手段としての呼出しコロ３１が設けられており、この呼出しコロ３１は呼出しモータ１０１からの駆動力が後述する呼出しカム１２６を介して伝達されるようになっており、呼出しモータ１０１およびカム機構により実線で示す原稿束Ｐから退避する位置と二点鎖線で示す原稿束Ｐの上面に当接する位置との間で昇降するようになっている。
【００４９】
ここで、第１通信読取部８０１は、呼出しコロ３１の搬送方向下流の搬送路近傍に配されている。図３に示すように、第１通信読取部８０１は、アンテナ部８０１ａと、通信制御部８０１ｂと、記憶部８０１ｃと、を有する構成である。アンテナ部８０１ａは、例えば、コイルアンテナを備え、電子ペーパー９００に対して磁界を発生し、電磁結合によって起電力を供給する。また、アンテナ部８０１ａを介して所定の信号を電子ペーパー９００に送信する。通信制御部８０１ｂは、後述する変復調回路、通信制御回路等を備え、電子ペーパー９００に対してＡＳＫ、ＦＳＫ、ＰＳＫ等で変調した信号（例えば、電子ペーパーの有するソフトウェアを起動する信号、電子ペーパーごとに付与された識別情報（例えば、ＩＤ番号）を要求する信号）を送信すると共に、電子ペーパー９００からの信号（例えば、前記ＩＤ番号を示す信号、電子ペーパーの頁ごとに区分して記憶された電子データを示す信号）を受信して復調する。記憶部８０１ｃは、電子ペーパー９００から送信されたＩＤ番号および電子データを示す信号を復調して得たデータを記憶する。このデータは、コントローラ１００に送られる。コントローラ１００は、ＩＤ番号に基づいて原稿が電子ペーパー９００であることを判別することができる。また、コントローラ１００は、当該電子ペーパーのＩＤ番号と全頁分の電子データとを対応付けてメモリに記憶することができる。また、前記ＩＤ番号と全頁分の電子データとを対応付けて本体制御部１１１のメモリに記憶することができる。さらに、通信手段（不図示）を介してネットワーク上に送信することもできるようになっている。
【００５０】
また、通信制御部８０１ｂには、電子ペーパー９００の通信衝突回避方式（所謂、アンチコリジョン方式）に応じ、所定のアンチコリジョン方式（例えば、スロッテッドアロハ方式）で通信の衝突回避を行うためのソフトウェアを具備している。本実施の形態では、原稿テーブル２４に複数の電子ペーパーが積載された場合、第１通信読取部８０１は複数の電子ペーパーの電子データを一括して読取り、ＩＤ番号ごとに電子データを記憶部８０１ｃに記憶するため、前記ソフトウェアが必要となる。
【００５１】
なお、第２通信読取部８０２の構成は第１通信読取部８０１と概ね同様であるため、説明を省略する。本実施の形態において、第２通信読取部８０２は電子ペーパーの媒体種別をＩＤ番号の有無（応答の有無）によって判別し、またＩＤ番号によって電子ペーパーの順序（原稿テーブル２４への載置順、原稿テーブル２４からの搬送順に相当する）を判別するものであるため、全頁分の電子データを取得して記憶する構成は要さないが、第１通信読取部８０１のバックアップ用として同一の構成、機能を有してもよい。
【００５２】
また、図４に示すように、電子ペーパー９００の片面には、電子ペーパー表示器９０４の表示面が形成されている。電子ペーパー表示器９０４は、例えば、ポリマー・フィルムを用いた液晶ディスプレイ（ＰＦＬＣＤ）であって、任意の形状に変形することができるので、電子ペーパー９００は紙媒体と同様にＡＤＦ２３で搬送することができる。前記表示面の第１の表示領域９０８には頁情報（例えば、当該頁番号／最終頁番号（総頁数に相当する））が表示され、第２の表示領域９０９には容量情報（例えば、当該頁の容量／全容量）が表示されるようになっている。また、前記表示面の第３の表示領域９１０には前述のＩＤ番号が表示されるようになっている。さらに、前記表示面の周縁には、頁更新を指示するための頁ボタン（不図示）が設けられ、この操作に応じて頁ごとに画像表示が更新されるようになっている。なお、前述のＩＤ番号は、前記表示面の周縁に数字やバーコードで印刷し、光学的あるいは磁気的に読取るようにしてもよい。
【００５３】
図５に示すように、電子ペーパー９００は、ＩＣチップ９０２に接続されたアンテナコイル９０１（図４の９０１ａ、９０１ｂ、９０１ｃに相当する）と、入出力端子付きのＩＣチップ９０２と、書替可能な不揮発性の記憶素子（例えば、ＥＥＰＲＯＭ）からなる電子ペーパー記憶素子９０３と、例えば、マイクロカプセル電気泳動方式の電子ペーパー表示器９０４と、ＩＣチップ記憶素子９０２ｄに記憶された情報（ＩＤ番号データ、頁ごとの電子データ）を表示用に変換する電子ペーパードライバ９０５と、太陽電池やボタン電池等の電源９０６と、を有する構成である。
【００５４】
また、ＩＣチップ９０２は、リーダ（例えば、第１通信読取部８０１、第２通信読取部８０２）との電磁誘導で生じた電圧を整流する整流回路９０２ａと、アンテナコイル９０１を介して受信した信号を復調し、同じく送信する信号を変調するための変復調回路９０２ｂと、ＩＣチップ記憶素子９０２ｄ等に接続された通信制御回路９０２ｃと、各種情報（例えば、ＩＤ番号データ、頁ごとの画像の電子データ、この電子データの容量を示す容量データ、頁情報としての頁データ）およびソフトウェア（例えば、所定のアンチコリジョン方式の通信プログラム）を記憶するＩＣチップ記憶素子９０２ｄと、を有する。ここで、アンテナコイル９０１ａ、９０１ｂ、９０１ｃを３隅に設けたのは、原稿のセット方向に関らず、常に先端側にアンテナコイルが位置するためである。
【００５５】
また、電子ペーパー表示器９０４は、頁ごとの画像を表示している。ＩＣチップ記憶素子９０２ｄは、頁ごとに区切られた画像情報（電子データに相当する）、頁情報（頁データに相当する）、容量情報（容量データに相当する）、個々の電子ペーパーの識別情報（ＩＤ番号（例えば、製造シリアル番号）に相当する）、前述の通信プログラム等を記憶している。なお、前記画像には、文字（テキスト）、図形、写真等が含まれる。通信制御回路９０２ｃは、第１通信読取部８０１および第２通信読取部８０２からの信号に応じてＩＤ番号データと全頁分の電子データとを示す信号の一方または双方送信するように制御する。
【００５６】
前述の構成により、電子ペーパー９００にリーダ（例えば、第１通信読取部８０１、第２通信読取部８０２）が接近すると、リーダの有するアンテナコイルの磁界により、前記アンテナコイルとアンテナコイル９０１とが電磁結合する。この電磁結合により、アンテナコイル９０１に誘導起電力が発生して整流回路９０２ａに流れる。この整流回路９０２ａにより整流された電力は、ＩＣチップ９０２に供給されて通信プログラムの起動、情報の更新などに使用される。
【００５７】
また、本体２１ａ（図１参照）側には操作部１０８（図６参照）が設けられており、この操作部１０８のプリントキーが押下され、本体制御部１１１からＩ／Ｆ１０７を介してコントローラ１００に原稿給紙信号が送信されると、コントローラ１００は呼出しモータ１０１を正転駆動してストッパ爪２８を原稿束Ｐから下方向に退避するように駆動する。
【００５８】
そして、このストッパ爪２８が退避位置に移動すると、ストッパ爪２８はホームポジションセンサ３４によって検出されるようになっており、ホームポジションセンサ３４はストッパ爪２８を検出すると、コントローラ１００は呼出しモータ１０１を逆転駆動して呼出しコロ３１を原稿束Ｐに当接する位置に下降させる。
【００５９】
ここで、原稿束Ｐに電子ペーパー９００が含まれている場合には、電子ペーパー９００に第１通信読取部８０１が接近することにより、第１通信読取部８０１のアンテナコイルと電子ペーパー９００アンテナコイル９０１とが電磁結合して誘導起電力が発生し、ＩＣチップ９０２に供給されて前記通信プログラムが起動されることになる。第１通信読取部８０１は、電子ペーパー９００との通信によってＩＤ番号データおよび全頁分の電子データを取得し、取得したデータをコントローラ１００に送信する。なお、電子ペーパー９００が複数載置されている場合には、複数の電子ペーパー９００のＩＤ番号データおよび全頁分の電子データを一括して取得する。
【００６０】
第１通信読取部８０１の通信読取りが完了すると、呼出しコロ３１は給紙モータ１０２の正転駆動によって原稿テーブル２４上の数枚（理想的には１枚）の原稿の給紙を開始する。この給紙された原稿は呼出しコロ３１の下流側に設けられた給紙ベルト３２およびリバースローラ３３からなる分離搬送手段に給紙される。
【００６１】
給紙ベルト３２は駆動ローラ３２ａおよび従動ローラ３２ｂに橋架されており、給紙モータ１０２から駆動ローラ３２ａに駆動力が伝達されると、周回移動するようになっている。
【００６２】
給紙ベルト３２は給紙モータ１０２が正転駆動されると給紙方向（時計回転方向）に周回移動するようになっており、リバースローラ３３には図示しないトルクリミッタが内蔵され、給紙モータ１０２が正転駆動されると給紙方向と逆方向（時計回転方向）に回転駆動されるようになっている。このため、最上位の原稿とその下の原稿が分離されて最上位の原稿のみが給紙される。
【００６３】
具体的には、リバースローラ３３は給紙ベルト３２と所定圧で接しており、給紙ベルト３２と直に接触しているとき、または、原稿１枚を介して接している状態では給紙ベルト３２の回転につられて反時計回転方向に連れ回りし、原稿が２枚以上給紙ベルト３２とリバースローラ３３の間に進入したときには連れ回り力がトルクリミッタのトルクよりも低くなるように設定されている。このため、リバースローラ３３は本来の駆動方向である時計回転方向に回転し、余分な原稿を押し戻す働きをして重送を防止することができる。
【００６４】
この分離原稿は給紙ベルト３２の下流側に設けられた分離用紙検出手段としての分離センサ５１によって検出されるようになっており、分離センサ５１によって検出された原稿は給紙ベルト３２によってさらに搬送され、給紙ベルト３２の下流側に設けられた突当てセンサ３５によって原稿の先端が検出された時点から所定量Ｘｍｍ搬送されると、コントローラ１００によって給紙モータ１０２の正転駆動を停止される。
【００６５】
この所定量Ｘｍｍは、突当てセンサ３５からプルアウトローラ対（回転部材）３６のニップ部までの距離よりも大きく設定されており、互いに摺接するプルアウト駆動ローラ３６ａおよびプルアウト従動ローラ３６ｂのニップ部に一定の撓みを形成した状態で停止されるようになっている。
【００６６】
このとき、呼出しモータ１０１はコントローラ１００からの指令により正転駆動されることにより、呼出しコロ３１を原稿上面から退避させ原稿を給紙ベルト３２の搬送力のみで搬送することにより、原稿の先端はプルアウト駆動ローラ３６ａおよびプルアウト従動ローラ３６ｂのニップ部に突当てられ、分離搬送時に発生した原稿の曲がり（スキュー）を補正することができる。
【００６７】
また、プルアウト駆動ローラ３６ａおよびプルアウト従動ローラ３６ｂは、原稿の分離後に給紙モータ１０２の逆転駆動によりスキュー補正された原稿を反転通路５３を介して下流側に設けられた読取入口ローラ対３７に向かって搬送する。この読取入口ローラ対３７は読取入口駆動ローラ３７ａと読取入口従動ローラ３７ｂによって構成されている。
【００６８】
また、給紙モータ１０２の逆転駆動時には、プルアウト駆動ローラ３６ａは駆動されるが、後述するワンウェイクラッチの作用により呼出しコロ３１と給紙ベルト３２に駆動力は伝達されない。
【００６９】
また、プルアウト駆動ローラ３６ａおよびプルアウト従動ローラ３６ｂの下流側には原稿幅センサ３８が設けられており、この原稿幅センサ３８は図２中、奥行き方向に複数個並べられ、実線で示す位置と二点鎖線で示す位置との間で移動するようになっている。
【００７０】
この原稿幅センサ３８は原稿を検出すると二点鎖線で示す位置に移動するようになっており、プルアウト駆動ローラ３６ａおよびプルアウト従動ローラ３６ｂにより搬送された原稿の搬送方向に直行する幅方向の情報を取得してコントローラ１００にこの検出情報を送信する。
【００７１】
コントローラ１００は原稿長さ検出センサ２５〜２７からの原稿長さ検出情報と原稿幅センサ３８からの幅検出情報との組合せに基づいて本体制御部１１１に原稿テーブル２４上に積載された原稿束Ｐのサイズ情報を送信する。
【００７２】
また、コントローラ１００は原稿の先端後端を突当てセンサ３５で検出する間に搬送した距離に相当するモータ駆動パルス数をカウントすることにより、原稿のより正確な長さを算出する。
【００７３】
また、プルアウト駆動ローラ３６ａの駆動により読取入口ローラ対３７に原稿が搬送される際には、原稿搬送速度を高速に設定して原稿をスリットガラス２２ｂ上の読取位置８０に送り込む処理時間の短縮を図るようになっており、特に２枚目以降の原稿ではこの高速搬送により前原稿との紙間を短縮することで生産性を向上させることができる。そして、原稿の先端が読取入口センサ３９によって検出されると、読取入口ローラ対３７に原稿先端が進入する前に減速が開始される。また、第２通信読取部８０２によって原稿との通信が試行される。
【００７４】
本実施の形態では、原稿の先端が読取入口センサ３９によって検出されたことを示す検知信号、および第２通信読取部８０２によって当該原稿のＩＤ番号データを示す信号が送信されたことに基づいて、コントローラ１００は、第１通信読取部８０１の通信読取りによってＩＤ番号と対応付けて記憶していた当該電子ペーパーの全頁分の電子データを、紙媒体を含む順番（載置順、搬送順）に並べる処理（整列処理）を実行するようになっている。
【００７５】
また、図２において、コントローラ１００は読取入口センサ３９から読取入口ローラ対３７までの距離よりもＹｍｍだけ搬送距離が長くなるように給紙モータ１０２を駆動して停止させることにより、停止している読取入口ローラ対３７のニップ部に原稿の先端を突当てて一定の撓みを形成した状態で原稿を停止させるようになっている。この結果、プルアウトローラ対３６による原稿の搬送時に発生したスキューを補正することができる。本実施の形態では、読取入口ローラ対３７がスキュー補正用のローラ対を構成している。
【００７６】
また、コントローラ１００は、原稿が読取入口ローラ対３７のニップ部で一時停止（レジスト停止）したときに、Ｉ／Ｆ１０７を介して本体制御部１１１にレジスト停止信号を送信するようになっている。
【００７７】
レジスト停止信号が送信されると、コントローラ１００は本体制御部１１１から読取開始信号を受信するようになっており、レジスト停止していた原稿が紙媒体の場合は読取倍率（原稿が紙媒体の場合）に応じた搬送速度で搬送されるよう、あるいは前記原稿が電子ペーパーの場合は前記搬送速度（読取搬送速度）よりも速い搬送速度で搬送されるよう、読取モータ１０３を駆動し、読取出口ローラ対４０により原稿を搬送する。また、この読取出口ローラ対４０は読取出口駆動ローラ４０ａと読取出口従動ローラ４０ｂによって構成されている。
【００７８】
ここで、原稿（紙媒体）の先端がスリットガラス２２ｂの上流側に設けられたレジストセンサ４１に到達するよりも前に読取開始信号を受信した場合はレジスト非停止読取動作となる。レジスト非停止読取動作の場合はレジスト停止を行わずに、読取搬送速度を維持したまま読取りを行う。
【００７９】
レジストセンサ４１は原稿の先端を検出するようになっており、レジストセンサ４１によって紙媒体の原稿の先端が検出されると、コントローラ１００は読取モータ１０３のパルスカウントを開始し、原稿先端がスリットガラス２２ｂ上の読取位置８０に到達するタイミングで、本体制御部１１１に対して副走査方向有効画像領域を示すゲート信号を送信する。このゲート信号は、通常は原稿の後端が読取位置８０を抜けるまで送信される。
【００８０】
反転通路５３を介して読取位置８０を通過した原稿は上下面が反転されて読取出口ローラ対４０および排紙ローラ４２によって搬送されるようになっており、両面原稿の読取り終了後、または、片面原稿の片面読取り終了後には原稿排紙台としての排紙トレイ４３に排紙される。
【００８１】
また、排紙ローラ４２は排紙駆動ローラ４２ａ、排紙従動上ローラ４２ｂおよび排紙従動下ローラ４２ｃを備えており、この排紙ローラ４２の下流側には切換手段としての切替爪４４が設けられている。
【００８２】
両面原稿の搬送を行う場合には、この原稿の表面の読取り時に読取位置８０を抜けた原稿先端が排紙ローラ４２に到達する前に、切替爪４４が反転ソレノイド１０５に駆動されて２点鎖線で示す位置に切り換わるようになっている。
【００８３】
このとき、読取モータ１０３によって駆動される排紙駆動ローラ４２ａおよび排紙下従動ローラ４２ｃと、反転モータ１０４により駆動されるスイッチバックローラ対としての反転ローラ対４５により原稿がスイッチバック通路４６ａに搬送される。
【００８４】
コントローラ１００は読取出口ローラ対４０の下流側に設けられた読取出口センサ４７によって原稿の後端が検出されてから読取モータ１０３の駆動パルスが所定パルスに達すると、原稿の後端が排紙ローラ４２を抜け出たものと判別して、反転ソレノイド１０５をオフにして切替爪４４を実線で示す位置に移動させるようになっている。
【００８５】
また、コントローラ１００は前述したように読取モータ１０３の駆動パルスが所定パルスに達した後に、反転モータ１０４を逆転駆動して反転ローラ対４５を逆転駆動することにより、原稿をプルアウトローラ対３６に向かってスイッチバックする。
【００８６】
このとき、読取モータ１０３の駆動方向は同一方向で、反転モータ１０４の駆動方向は逆方向となり、処理時間短縮のために反転モータ１０４および読取モータ１０３を高速駆動する。
【００８７】
また、コントローラ１００は原稿がスイッチバックを始めると反転モータ１０４の駆動パルスが所定パルスになった後に、給紙モータ１０２を高速に逆転駆動して原稿をプルアウトローラ対３６に向かって高速搬送する。
【００８８】
また、再給紙通路４６ｂを搬送される原稿の後端が反転センサ４９によって検出されると、コントローラ１００は反転センサ４９からの検出情報に基づいて反転ローラ対４５の逆転駆動を停止するようになっている。
【００８９】
この後、プルアウトローラ対３６によって原稿のスキュー補正をして前述したようにして原稿の片面を読取り、再度スイッチバック通路４６ａでスイッチバックした後、再給紙通路４６ｂを通して読取位置８０に向かって搬送し、原稿の読取りを行わずに原稿面を備えるための反転動作を行って原稿を排紙トレイ４３に排紙する。
【００９０】
また、排紙ローラ４２の上流側には排紙センサ５０が設けられており、この排紙センサ５０は原稿の後端を検出してコントローラ１００に信号を出力するようになっており、コントローラ１００はこの検出情報に基づいて原稿が排紙されたものと判別する。
【００９１】
また、本体２１ａには表示部４８が設けられており、コントローラ１００は突当てセンサ３５、読取入口センサ３９、レジストセンサ４１、読取出口センサ４７、反転センサ４９、排紙センサ５０等からの検出情報および原稿長さ検出センサ２５〜２７からの検出情報に基づいてジャム判定を行い、ジャムが発生した場合に、表示部４８によってジャム表示を行うようになっている。
【００９２】
一方、複写機２１の本体２１ａ内には、図１に示すように画像読取部８１が設けられており、この画像読取部８１によって光学的に読取られた画像情報は書込部８２によって感光体ドラム８３に照射されるようになっている。
【００９３】
画像読取部８１は、コンタクトガラス２２ａまたはスリットガラス２２ｂ上の原稿を照明する光源８１ａと、原稿から反射された光をそれぞれ反射する第１ミラー８１ｂ、第２ミラー８１ｃ、第３ミラー８１ｄと、第３ミラー８１ｄから反射された光をＣＣＤイメージセンサ８１ｆに結像するレンズ８１ｅと、レンズ８１ｅによって結像された光を電気信号に変換するＣＣＤイメージセンサ８１ｆとを備えている。
【００９４】
光源８１ａおよび第１ミラー８１ｂは図示しない第１走行体に取付けられているとともに、第２ミラー８１ｃとおよび第３ミラー８１ｄは第２走行体に取付けられており、第１走行体および第２走行体はコンタクトガラス２２ａおよびスリットガラス２２ｂに沿って図１中、移動するようになっている。
【００９５】
そして、第１走行体および第２走行体は、コンタクトガラス２２ａに載置された原稿を読取るときには、コンタクトガラス２２ａの下方で図１中、左右方向に移動され、スリットガラス２２ｂを通過する原稿を読取るときには、スリットガラス２２ｂの下方で停止される。画像読取部８１は、紙媒体および電子ペーパー９００に表示された画像（文字（テキスト）、図形、写真等を含む）を読取ることができる。
【００９６】
書込部８２は、画像読取部８１によって読取った画像情報としての電子データに応じて光変調したレーザ光を照射し、帯電させた感光体ドラム８３の表面をこのレーザ光で露光するようになっている。
【００９７】
感光体ドラム８３の周囲には、感光体ドラム８３と共に画像形成手段を構成する現像装置８６、転写ベルト８７、クリーニング装置８８、図示しない帯電装置および除電装置が設けられている。帯電装置は暗中にプラス電荷のコロナ放電をグリッドにより制御して感光体ドラムの表面を一定電位に帯電させるようになっている。
【００９８】
書込部８２はこの一定電位に帯電された感光体ドラム８３上に画像情報を含んだレーザダイオードを照射して感光体ドラム８３上のマイナス電荷を除去して静電潜像を形成する。
【００９９】
現像装置は感光体ドラム８３上の電気除去された部分にマイナスに帯電されたトナーを付着させて可視像を形成する。転写ベルト８７にはプラスのバイアスが印加されており、この転写ベルト８７はマイナスに帯電された可視像を記録媒体としての転写紙（用紙）に転写して搬送するようになっている。
【０１００】
クリーニング装置８８はクリーニングブレードを備えており、感光体ドラム８３に残ったトナーを掻き落とすようになっている。除電装置はＬＥＤを点灯させることにより感光体ドラム８３の残留電荷を除去して次の転写紙に新たな画像を形成するための準備を行う。
【０１０１】
このようにした画像が形成された転写紙は定着装置９０に搬送され、定着装置９０によりトナー画像が転写紙に定着される。 
【０１０２】
また、本体２１ａ内にはそれぞれ異なるサイズの転写紙Ｓ１〜Ｓ５が収納された収納カセット９１〜９５が設けられており、この収納カセット９１〜９５に収納された転写紙は呼出しコロ９１ａ〜９５ａによって給紙された後、搬送方向に回転する給紙ローラ９１ｂ〜９５ｂおよび給紙ローラ９１ｂ〜９５ｂに摺接し、分離方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送される。
【０１０３】
なお、第１通信読取部８０１で一括して読取った電子ペーパー９００の電子データと、画像読取部８１で１枚ずつ読取った紙媒体の画像の電子データとは、後述する順序テーブル（図１３参照）に基づいて載置順（搬送順）に整列された後、共通の形式に変換されてコントローラ１００または本体制御部１１１のメモリあるいは外部記憶装置（不図示）の所定領域に蓄積される。ここで、電子ペーパーの電子データを識別するための名称としては、前述のＩＤ番号を利用してもよい。あるいは、紙媒体の電子データを識別するための識別情報と共通形式の識別情報を新たに付与し、新たな識別情報と前述のＩＤ番号との対応関係を規定するようにしてもよい。
【０１０４】
次に、図７〜図１３のフローチャートに基づいて原稿の搬送動作を説明する。なお、図７〜図１３のフローチャートはコントローラ１００によって複写機２１の搬送動作を制御するための搬送制御プログラムである。この搬送制御プログラムを含む制御プログラムは、コントローラ１００（または本体制御部１１１）に前述の通信読取制御機能、判別制御機能、搬送制御機能、光学読取制御機能、電子データ整列制御機能を実現させるものである。ここでは、原稿（紙媒体または電子ペーパー）の片面を読取搬送する片面モードの搬送動作を示す。
【０１０５】
まず、図７において、コントローラ１００は原稿長さ検出センサ２５〜２７からの検出情報に基づいて原稿テーブル２４に原稿束Ｐがセットされたか否かを判別する（ステップＳ１）。
【０１０６】
次いで、操作部１０８のプリントキーが押下されると、本体制御部１１１からＩ／Ｆ１０７を介してコントローラ１００に原稿給紙信号が送信されるため、コントローラ１００は給紙モータ１０２を時計回転方向に正転駆動する（ステップＳ２）。このとき、ストッパ爪２８が原稿束Ｐの先端から退避する。
【０１０７】
次いで、コントローラ１００はホームポジションセンサ３４からの検出情報に基づいてストッパ爪２８が退避対置に移動したか否かを判別し（ステップＳ３）、ストッパ爪２８が退避位置に移動した場合には、呼出しモータ１０１を逆転駆動する（ステップＳ４）。
【０１０８】
次いで、コントローラ１００は呼出しコロ３１が当接位置に移動したか否かを判別し（ステップＳ５）、呼出しコロ３１が当接位置に移動したものと判別した場合には、原稿長さ検出センサ２５〜２７からの検出情報に基づいて原稿の長さを取得する（ステップＳ７）。
【０１０９】
次いで、コントローラ１００は第１通信読取部８０１に対して通信読取りを指令し、第１通信読取部８０１は、呼出しコロ３１の近傍で通信読取りを試行し（ステップＳ８）、終了すると（ステップＳ９）、ステップＳ１０に処理を移す。ここでは、原稿との通信によりＩＤ番号データの信号が得られると、当該原稿の電子データ（電子ペーパーの全頁分の）の全頁分の電子データの信号を取得し、双方のデータをコントローラ１００に送信する。なお、複数の電子ペーパーが載置されている場合には、全ての電子ペーパーについて前記双方のデータを取得してコントローラ１００に送信することになる。また、電子ペーパーが載置されていない場合には、所定時間の試行の後、ステップＳ１０に処理を移す。
【０１１０】
ステップＳ１０において、コントローラ１００は給紙モータ１０２を時計回転方向に正転駆動する。このため、呼出しコロ３１によって原稿束Ｐから最上位に位置する原稿が分離された後、給紙ベルト３２およびリバースローラ３３によって最上位に位置する原稿が分離される。
【０１１１】
次いで、コントローラ１００は突当てセンサ３５がオンしたか否かを判別し（ステップＳ１１）、突当てセンサ３５がオンしない場合には、ジャム検出時間オーバーか否かを判別する（ステップＳ１２）。コントローラ１００はジャム検出時間オーバーであるものと判別した場合には、突当て未達ジャムと判別して表示部４８にジャム表示を行う（ステップＳ１３）。
【０１１２】
一方、ステップＳ１１で突当てセンサ３５がオンになったものと判別した場合には、突当て量をカウントする（ステップＳ１４）。すなわち、コントローラ１００は突当てセンサ３５とプルアウトローラ対３６の距離よりも大きく設定された所定量Ｘｍｍに相当する給紙モータ１０２の駆動パルスのカウントを開始する。
【０１１３】
次いで、図８に示すように、コントローラ１００は呼出しモータ１０１を反時計回転方向に逆転駆動した後（ステップＳ１５）、呼出しコロ３１が退避位置に移動したか否かを判別し（ステップＳ１６）、呼出しコロ３１が退避位置に移動した場合には、呼出しモータ１０１を停止する（ステップＳ１７）。
【０１１４】
次いで、コントローラ１００は給紙モータ１０２のパルスカウントが突当て量（Ｘｍｍ）に相当する所定パルスに到達したか否かを判別し（ステップＳ１８）、パルスカウントが所定パルスに到達した場合には、図９のステップＳ１９に進み、遅延時間がＴｄｌであるか否かを判別し、遅延時間がＴｄｌ以上であるものと判別した場合には、ステップＳ２０に進む。なお、給紙モータ１０２が所定パルスに到達した時点では、原稿が所定量の撓みを持ってプルアウトローラ対３６に押し当てられた状態になり原稿のスキューが矯正される。
【０１１５】
また、本実施の形態では、後述の次原稿のプレフィードにおいて、次原稿の先端がプルアウトローラ対３６の位置から読取入口ローラ対３７のニップ部で一時停止するレジスト停止位置（読取待機位置）まで到達する所要時間(Ｔｐｏ)に対して、先行原稿の後端が読取位置８０を通過してから排紙ローラ４２を通過するまでの所要時間（Ｔｙｏ）がＴｙｏ＜（Ｔｐｏ＋Ｔｄｌ）となる遅延時間Ｔｄｌを設けることにより、次原稿のプルアウトローラ対３６の位置からの搬送を行う。
【０１１６】
ステップＳ２０では、コントローラ１００は給紙モータ１０２の電流の切換えをオンにして給紙モータ１０２を高速で駆動する。給紙モータ１０２が逆転駆動されると、プルアウトローラ対３６は駆動されるが、プーリ１４０のワンウェイクラッチの作用により呼出しコロ３１と給紙ベルト３２に駆動力は伝達されないので、原稿はプルアウトローラ対３６によって搬送される。
【０１１７】
次いで、コントローラ１００は原稿幅センサ３８がオンしたか否かを判別し（ステップＳ２１）、原稿幅センサ３８がオンした場合には、コントローラ１００は原稿幅センサ３８からの検出情報に基づいて原稿の幅情報を取得する（ステップＳ２２）。この結果、コントローラ１００は原稿長さ検出センサ２５〜２７の原稿長さ情報と原稿幅センサ３８からの幅情報との組合せにより原稿テーブル２４上に積載された原稿束Ｐのサイズ情報を把握することができる。
【０１１８】
このとき、原稿はプルアウトローラ対３６および読取入口ローラ対３７に挟持されて読取位置８０に向かって搬送される。この際には原稿搬送速度を高速に設定されるので、原稿を読取位置８０に送り込む処理時間の短縮を図ることができる。特に、２枚目以降の原稿ではこの高速搬送により前原稿との紙間を短縮することで生産性を向上させることができる。
【０１１９】
次いで、コントローラ１００は混載モードがオフになっているか否かを判別し（ステップＳ２３）、混載モードがオフになっている場合には、本体制御部１１１に原稿テーブル２４上に積載された原稿束Ｐのサイズ情報を送信する（ステップＳ２４）。
【０１２０】
次いで、コントローラ１００は読取入口センサ３９によって原稿の先端が検出されたか否かを判別し（ステップＳ２５）、読取入口センサ３９がオンしない場合には、ジャム検出時間オーバーか否かを判別する（ステップＳ２６）。コントローラ１００はジャム検出時間オーバーであるものと判別した場合には、先端検出未達ジャムと判別して表示部４８にジャム表示を行う（ステップＳ２７）。
【０１２１】
一方、ステップＳ２５で読取入口センサ３９がオンになったものと判別した場合には、コントローラ１００は第２通信読取部８０２からＩＤ番号データの信号が送信されたか否かを判別する（ステップＳ２８）。ここで、ＩＤ番号データの信号が送信されていないと判別した場合、コントローラ１００は、原稿が紙媒体であると判断し、当該原稿の頁番を更新（設定）する（ステップＳ２９）。
また、ステップＳ２８においてＩＤ番号データの信号が送信されたものと判別した場合、コントローラ１００は、原稿が電子ペーパーであると判断し、既に第１通信読取部８０１の通信読取りによって当該ＩＤ番号と対応付けてメモリに記憶されていた全頁分の電子データの頁番を更新し（ステップＳ３０）、更新した頁番に基づいて当該電子ペーパーのＩＤ番号と全頁分の電子データとを整列する（ステップＳ３１）。
【０１２２】
なお、原稿の頁番の更新は、後述する順序テーブル（図１４参照）によって行われる。
次いで、コントローラ１００は、突当て量の補正カウントをスタートする（ステップＳ３２）。すなわち、コントローラ１００は読取入口センサ３９と読取入口ローラ対３７の距離よりも大きく設定された所定量Ｙｍｍに相当する給紙モータ１０２の駆動パルスのカウントを開始する。
【０１２３】
次いで、コントローラ１００は給紙モータ１０２のパルスカウントが突当て量（Ｙｍｍ）に相当する所定パルスに到達したか否かを判別し（ステップＳ３３）、パルスカウントが所定パルスに到達した場合には、給紙モータ１０２を停止して（ステップＳ３４）、本体制御部１１１にレジスト停止信号を送信した後（ステップＳ３５）、読取位置８０までの搬送制御を終了する。なお、給紙モータ１０２が所定パルスに到達した時点では、原稿が所定量の撓みを持って読取入口ローラ対３７に押し当てられた状態になり原稿のスキューが補正される。
【０１２４】
図１０は読取り時の原稿の搬送制御プログラムのフローチャートである。図１０において、コントローラ１００は、原稿が電子ペーパーであるか否かを判別し（ステップＳ４１）、電子ペーパーではない（紙媒体である）ものと判別した場合には、読取モータ１０３の速度を読取倍率から設定した後（ステップＳ４２）、続いて本体制御部１１１から読取開始信号を受信すると、原稿読取り動作を開始する。なお、電子ペーパーは、片面（表示面）のみに画像を表示するので、片面モードには、紙媒体および電子ペーパーの一方または双方（混載に相当する）を読取搬送する場合が含まれる。
【０１２５】
コントローラ１００は読取モータ１０３を正転駆動して読取入口ローラ対３７および読取出口ローラ対４０を読取倍率に応じた搬送速度で駆動する（ステップＳ４３）。次いで、コントローラ１００は原稿の先端がレジストセンサ４１によって検出されたか否かを判別し（ステップＳ４４）、原稿の先端が検出されると、読取モータ１０３のパルスカウントを開始する（ステップＳ４５）。
【０１２６】
次いで、コントローラ１００は、読取モータ１０３のパルスカウント値がレジストセンサ４１とスリットガラス２２ｂ上の読取位置８０の距離に相当する表面所定パルスになったか否かを判別する（ステップＳ４６）。
【０１２７】
コントローラ１００はカウント値が表面所定パルスに到達したものと判別した場合には、原稿のスリップ率等を考慮した補正パルスが表面所定パルスになったか否かを判別する（ステップＳ４７）。
【０１２８】
コントローラ１００は補正パルスが表面所定パルスに到達したものと判別した場合には、原稿先端が読取位置８０に到達するタイミングで、本体制御部１１１に対して副走査方向有効画像領域を示すゲート信号を送信した後（ステップＳ４８）、表面ゲートカウントのカウントを開始する（ステップＳ４９）。
【０１２９】
次いで、コントローラ１００は排紙センサ５０によって原稿の先端が検出されたか否かを判別し（ステップＳ５０）、排紙センサ５０によって原稿の先端が検出されていないものと判別した場合には、ジャム検出時間オーバーか否かを判別する（ステップＳ５１）。
【０１３０】
コントローラ１００はジャム検出時間オーバーであるものと判別した場合には、排紙未達ジャムと判別して表示部４８にジャム表示を行う（ステップＳ５２）。
【０１３１】
一方、ステップＳ５０で排紙センサ５０がオンになったものと判別した場合には、図１１に示すようにコントローラ１００はレジストセンサ４１がオフであるか否かを判別し（ステップＳ５３）、レジストセンサ４１がオフでないものと判別した場合には、ジャム検出時間オーバーか否かを判別する（ステップＳ５４）。コントローラ１００はジャム検出時間オーバーであるものと判別した場合には、レジスト滞留ジャムと判別して表示部４８にジャム表示を行う（ステップＳ５５）。
【０１３２】
また、コントローラ１００はレジストセンサ４１がオフであるものと判別した場合には、読取モータ１０３のパルスをカウントする後端カウントをスタートする（ステップＳ５６）。
【０１３３】
次いで、コントローラ１００は読取モータ１０３のパルスのカウント値が表面所定パルスに達したか否かを判別し（ステップＳ５７）、表面所定パルスに達したものと判別した場合には、ゲートカウント値が原稿長よりも大きくなったか否かを判別する（ステップＳ５８）。
【０１３４】
コントローラ１００はゲートカウント値が原稿長よりも大きくなったものと判別した場合には、副走査方向有効画像領域を示すゲート信号の送信を停止する（ステップＳ５９）。
【０１３５】
次いで、コントローラ１００は排紙センサ５０がオフになったか否かを判別し（ステップＳ６０）、排紙センサ５０がオフになっていないものと判別した場合には、ジャム検出時間オーバーか否かを判別する（ステップＳ６１）。
【０１３６】
コントローラ１００はジャム検出時間オーバーであるものと判別した場合には、排紙滞留ジャムと判別して表示部４８にジャム表示を行う（ステップＳ６２）。また、コントローラ１００は排紙センサ５０がオフになったものと判別した場合には、排紙完了を示す信号を本体制御部１１１に送信して（ステップＳ６３）、処理を終了する。この後、前述のステップにおいて更新された順番に基づいて、コントローラ１００はメモリに当該紙媒体の画像データ（電子データ）を整列して記憶（格納）する（ステップＳ６４）。なお、原稿の順番の更新は、後述する順序テーブル（図１４参照）によって行われる。
【０１３７】
一方、図１０のステップＳ４１で原稿が電子ペーパーであるものと判別した場合には、図１２に示すように、読取モータ１０３の速度を高速に設定し（ステップＳ６３）、続いて本体制御部１１１から読取開始信号を受信すると、読取モータ１０３を正転駆動して読取入口ローラ対３７および読取出口ローラ対４０を高速に駆動する（ステップＳ６４）。また、ステップＳ６４では読取搬送に係るローラ間の搬送圧の設定も行う。
【０１３８】
次いで、コントローラ１００は原稿の先端がレジストセンサ４１によって検出されたか否かを判別し（ステップＳ６５）、原稿の先端が検出された後、排紙センサ５０によって原稿の先端が検出されたか否かを判別し（ステップＳ６６）、排紙センサ５０によって原稿の先端が検出されていないものと判別した場合には、ジャム検出時間オーバーか否かを判別する（ステップＳ６７）。
【０１３９】
コントローラ１００はジャム検出時間オーバーであるものと判別した場合には、排紙未達ジャムと判別して表示部４８にジャム表示を行う（ステップＳ６８）。
【０１４０】
一方、ステップＳ６６で排紙センサ５０がオンになったものと判別した場合には、コントローラ１００はレジストセンサ４１がオフであるか否かを判別し（ステップＳ６９）、レジストセンサ４１がオフでないものと判別した場合には、ジャム検出時間オーバーか否かを判別する（ステップＳ７０）。コントローラ１００はジャム検出時間オーバーであるものと判別した場合には、レジスト滞留ジャムと判別して表示部４８にジャム表示を行う（ステップＳ７１）。
【０１４１】
また、コントローラ１００はレジストセンサ４１がオフであるものと判別した後、排紙センサ５０がオフになったか否かを判別し（ステップＳ７２）、排紙センサ５０がオフになっていないものと判別した場合には、ジャム検出時間オーバーか否かを判別する（ステップＳ７３）。
【０１４２】
コントローラ１００はジャム検出時間オーバーであるものと判別した場合には、排紙滞留ジャムと判別して表示部４８にジャム表示を行う（ステップＳ７４）。また、コントローラ１００は排紙センサ５０がオフになったものと判別した場合には、排紙完了を示す信号を本体制御部１１１に送信して（ステップＳ７５）、処理を終了する。
【０１４３】
なお、両面モードの場合には、片面の読取りが終了した後、読取位置８０を抜けた原稿の先端が排紙ローラ４２に到達する前に反転ソレノイド１０５をオンにして切替爪４４を図２中、二点鎖線で示す位置に切換えて反転モータ１０４を正転駆動する。この正転駆動により、原稿を図２中、矢印Ｂで示すように再給紙通路４６ａ上に搬送する。この後、切替爪４４を図２中、実線で示す位置に切換えて反転モータ１０４を逆転駆動し、原稿を図２中、矢印Ｃで示すように再給紙通路４６ｂに搬送する。こうして、一旦スイッチバック搬送した片面読取り後の原稿を読取位置８０へ再搬送して他の一面を読取らせる。さらに順序を揃えるため、両面読取り後の原稿を再度再給紙通路４６ａ上に搬送し、再給紙通路４６ｂを通して反転させ、読取位置８０では読取りを行わずに排紙トレイ４３に排紙する。すなわち、両面モードの場合には、読取位置８０を３回通って排紙されることになる。
【０１４４】
ここで、プレフィード動作（片面読取り時）を図１３のフローチャートに基づいて説明する。
【０１４５】
図１３において、コントローラ１００は、本体制御部１１１から開始読取開始信号を受信して読取りが開始されたか否かを判別する（ステップＳ８１）。なお、前述のように、片面モードには、紙媒体および電子ペーパーの一方または双方を搬送する場合が含まれる。
【０１４６】
次いで、コントローラ１００は突当てセンサ３５がオフであるか否かを判別し（ステップＳ８２）、突当てセンサ３５によって先行原稿の後端を検知してからの給紙モータ１０２の駆動パルスのカウントを開始する後端カウントをスタートする（ステップＳ８３）。
【０１４７】
次いで、コントローラ１００は後端カウントが所定パルスになったか否かを判別する（ステップＳ８４）。この所定パルスは突当てセンサ３５によって原稿の後端が検知されてからプルアウトローラ対３６を通過するまでの給紙モータ１０２の駆動パルスに設定されている。
【０１４８】
コントローラ１００はステップＳ８４で後端カウントが所定パルス以上になったものと判別した場合には、給紙モータ１０２の逆転駆動を停止し（ステップＳ８５）、次原稿テーブル２４上に次原稿があるか否かを判別する（ステップＳ８６）。
【０１４９】
原稿テーブル２４上に次原稿がある場合には、図７〜図１２のフローチャートに示す処理を実行して次原稿の給紙を行う（ステップＳ９０）。
【０１５０】
また、ステップＳ８６で次原稿がない場合には、呼出しモータ１０１を時計回転方向に正転駆動して（ステップＳ８７）、ストッパ爪２８を図２中、二点鎖線で示す位置に復帰させた後（ステップＳ８８）、呼出しモータ１０１の駆動を停止する（ステップＳ８９）。
【０１５１】
図１４は順序テーブルを示す図である。これは、図９のステップＳ２９〜Ｓ３１、図１１のステップＳ６４等において原稿の給紙順（例えば、読取入口センサ３９による検出順）とＩＤ番号の有無とに基づいて順番を更新するために用いられる。
【０１５２】
図１４において、順序テーブルには、原稿の順番と、媒体種別情報（紙媒体か電子ペーパーか）と、識別情報（電子ペーパーのＩＤ番号）と、格納情報（本体制御部１１１のメモリに格納済か未格納か）と、が登録されている。この順序テーブルは、例えば、コントローラ１００または本体制御部１１１のメモリの所定領域に設けられており、分離給紙された原稿の順番と媒体種別とに基づいて、第１通信読取部８０１および画像読取部８１によって取得された電子データ（紙媒体の画像データおよび電子へーパーの全頁分の電子データ）を整列するために用いられる。ここでは、５番目の原稿が分離給紙された後、第２通信読取部８０２の読取り試行に基づいて紙媒体と判別され、原稿テーブル２４の載置順（搬送順）に順番が更新されたが、画像読取部８１により読取られた画像の電子データが未だ前記メモリに格納されていない状態を示している。
【０１５３】
このような本発明の実施の一形態としての複写機２１によれば、固有の識別情報と所定の頁数分の電子データとを関連付けて記憶し、分離給紙前（搬送前）に第１通信読取部８０１からの信号に応じて無線送信する電子ペーパー９００を用いることにより、紙媒体のように１枚ずつ分離搬送して読取位置８０で読取る場合に比べて、複数の電子ペーパーの電子データを短時間に一括して読取ることができる。また、紙媒体の読取搬送に比べて高速に搬送することができる。
【０１５４】
また、本実施の形態によれば、原稿の搬送中に読取位置８０に対して搬送方向上流のレジスト停止位置近傍の第２通信読取部８０２において、電子ペーパー９００のＩＤ番号（識別情報に相当する）を取得することにより、紙媒体の光学読取りのための速度制御を確実に行い、電子ペーパー９００の高速搬送の実行を早め、搬送時間を短縮することができる。
【０１５５】
また、本実施の形態によれば、第１通信読取部８０１により原稿テーブル２４上に載置された複数の電子ペーパー９００の電子データ（ＩＤ番号を含む）を一括して読取り、分離給紙後に第２通信読取部８０２によりデータ量の少ないＩＤ番号の電子データのみを読取り、ＩＤ番号によって原稿テーブル２４への載置順を判別して整列するので、分離給紙後に１枚ずつ読取り、載置順を判別して整列する場合に比べ、処理時間を短縮することができる。
【０１５６】
また、本実施の形態によれば、第１通信読取部８０１による複数の電子ペーパー９００の一括読取りが終了するまでは、原稿の搬送開始を禁止することにより、確実に全ての電子ペーパー９００の電子データを取得することができる。
【０１５７】
また、本実施の形態によれば、電子ペーパー９００に付与されたＩＤ番号のデータ量は少ないので、電子ペーパー９００の搬送中にレジスト停止位置近傍の第２通信読取部８０２で１枚ずつ順次ＩＤ番号を読取る場合、搬送速度を低下することまたは搬送を停止することを要さない。搬送速度の低下を抑制しながら、第２通信読取部８０２で取得したＩＤ番号と第１通信読取部８０１で電子データとともに取得したＩＤ番号とに基づいて、電子ペーパーの載置順に電子データを整列することができる。
【０１５８】
また、本実施の形態によれば、読取位置８０に対して搬送方向上流において第２通信読取部８０２がＩＤ番号を読取れない場合には原稿が紙媒体であると判別するので、媒体種別の判別に基づいて適切な搬送制御を行うことができる。例えば、原稿が紙媒体の場合には、画像読取部８１の光学的な読取りに適した搬送速度（低速）を設定し、電子ペーパーの場合には排紙搬送に適した搬送速度（高速）を設定して、搬送時間の短縮を図ることができる。また、原稿テーブル２４に電子ペーパー９００のみを載置した場合には、第２通信読取部８０２において媒体種別を判別した後、排紙搬送に適した高速搬送を行うので搬送時間が大幅に短縮される。
【０１５９】
なお、電子ペーパー９００を搬送中に読取る場合には、通信または光学的な読取速度に対して搬送速度を低速に設定し、電子データのデータ量にも配慮する必要がある。前述した実施の形態によれば、原稿テーブル２４に原稿を載置した状態（静止状態）で第１通信読取部８０１の通信により電子ペーパー９００の全てを読取るので、前述の搬送速度およびデータ量の問題が生じることはない。
【０１６０】
また、電子ペーパーと紙媒体とに適した搬送制御を行うためには、読取位置８０に対して搬送方向上流で媒体種別を判別し、電子ペーパーと紙媒体とで搬送制御を変更する必要がある。前述した実施の形態によれば、レジスト停止位置で第２通信読取部８０２により媒体種別を判別するので、電子ペーパーと紙媒体とに適した搬送制御を行うことができる。
【０１６１】
また、本実施の形態によれば、原稿テーブル２４に紙媒体と電子ペーパーとが混載された場合、第２通信読取部８０２の読取り成否によって原稿の媒体種別を順次判別することにより、紙媒体および電子ペーパーを含む原稿の載置順を判別することができる。また、第１通信読取部８０１で読取ったＩＤ番号と第２通信読取部８０２で読取ったＩＤ番号とを照合することにより、第１通信読取部８０１で読取った電子データの中から当該電子ペーパーのＩＤ番号と対応する電子データを特定することができる。すなわち、原稿搬送の進行に応じ、紙媒体の画像を読取った電子データと電子ペーパーの電子データとを載置順に整列することができる。
【０１６２】
なお、原稿テーブル２４に電子ペーパー９００のみを載置した場合には、第２通信読取部８０２において媒体種別を判別した後、電子ペーパーの電子データのみを載置順に整列するので、整列に要する時間が大幅に短縮される。
【０１６３】
また、本実施の形態によれば、異なる読取手段（例えば、第１通信読取部８０１および画像読取部８１）が異なるタイミングで読取った媒体種別の異なる原稿の電子データ（例えば、紙媒体および電子ペーパーの電子データ）を載置順に整列し、共通の形式として本体制御部１１１等に蓄積するので、出力、転送、加工等の処理が容易となる。
【０１６４】
なお、前述した実施形態では、識別情報としてＩＤ番号（例えば、製造シリアル番号）を用いた場合について説明したが、本発明はこのほかに、例えば、画像などを用いても同様の効果が得られるものである。また、識別情報を電子データとせず、例えば、表示あるいは印刷された可視情報としてもよい。
【０１６５】
また、前述した実施形態では、電子ペーパー９００を原稿テーブル２４に載置した状態で読取る場合について説明したが、本発明はこのほかに、原稿テーブル２４に載置する以前に読取るかあるいは複写機２１の外部で読取るかしても同様の効果が得られるものである。
【０１６６】
また、前述した実施形態では、第１通信読取部８０１および第２通信読取部８０２が電波による通信を行う場合について説明したが、本発明はこのほかに、磁気、あるいは赤外線による通信を用いても同様の効果が得られるものである。あるいは、通信速度とデータ量に配慮した上で金属端子等の接触による通信を用いてもよい。
【０１６７】
また、前述した実施形態では、電子ペーパーの識別情報と全頁分の電子データとを直接対応させた場合について説明したが、本発明はこのほかに、前記識別情報に代えて他の識別情報を電子ペーパーの電子データに付与して蓄積し、さらに電子ペーパーの識別情報と他の識別情報との関係を規定するテーブル等を設けても同様の効果が得られるものである。
【０１６８】
また、前述した実施形態では、レジスト停止位置の近傍に第２通信読取部８０２を設けた場合について説明したが、本発明はこのほかに、レジスト停止位置に対して搬送方向上流（例えば、分離センサ５１近傍）またはレジスト停止位置に対して搬送方向下流（例えば、排紙センサ５０近傍）に設けてもよい。なお、第２通信読取部８０２を排紙センサ５０近傍に設けた場合には、全ての原稿について画像読取部８１による光学的な読取りを実施し、原稿の媒体種別の判別に応じて電子ペーパーの画像データを廃棄し、第１通信読取部８０１で読取った電子データを採用することになる。
【０１６９】
さらに、前述した実施形態では、第２通信読取部８０２において、分離給紙された原稿の媒体種別の判別とＩＤ番号の取得とを行うようにした場合について説明したが、本発明はこの他に、媒体種別を検出するための媒体検出手段としての電子媒体検出部を設け、この電子媒体検出部の検出に基づいて電子ペーパーであると判別された場合に、画像読取部８１によって当該電子ペーパーに表示された（あるいは記された）ＩＤ番号を光学的に読取り、第１通信読取部８０１で取得済みのＩＤ番号と照合することにより、頁番を更新するように構成しても、紙媒体と電子ペーパーの双方を読取ることができるという同様の効果が得られる。前述した構成は、請求項７から請求項９の発明の実施の一形態（他の実施の形態）に相当する。さらに、前述した他の実施の形態においては、第１通信読取部８０１および第２通信読取部８０２を有する構成と比べ、１つの通信読取部（第１通信読取部８０１）で済むためにコストを削減することができる。
【０１７０】
前述した他の実施の形態において、電子ペーパー９００の前記表示面の周縁には、例えば導電性の接触部（例えば、金属箔を貼付したもの）が形成されている。
【０１７１】
一方、電子媒体検出部は、例えば読取入口センサ３９へ搬送されてくる原稿に接触するための端子と、この端子に電流を流すための電池と、端子間に電流が流れたことを検知するための電流検出回路と、を有する構成である。そして搬送中の原稿の片面に前記端子が接触するように構成されている。前記電流検出回路の検出結果はコントローラ１００に送られる。この検出結果に基づいて、コントローラ１００は原稿が電子ペーパー９００であるか、紙媒体であるかを判別することができる。すなわち、電子ペーパー９００の前記表示面の周縁に設けられた接触部と前記端子とが接触して通電が検出された場合は原稿が電子ペーパーであると判別し、接触して通電しなかった場合は原稿が紙媒体であると判別することができる。
【０１７２】
また、コントローラ１００は、電子媒体検出部の検出に基づいて原稿が電子ペーパー９００であると判別した場合、画像読取部８１によって当該電子ペーパーの前記表示面を光学的に読取らせ、前記表示面の第３の表示領域９１０に相当する画像データを抽出し、抽出した画像データ（ＩＤ番号データ）と第１通信読取部８０１で取得済みのＩＤ番号データと照合する。この照合で一致したＩＤ番号を順序テーブル（図１４参照）に加えて順番を更新する。なお、当該電子ペーパーの全頁分の電子データは第１通信読取部８０１で取得済みであるため、画像読取部８１によって光学的に読取った当該頁分の電子データは廃棄する。
【０１７３】
また、分離前（静止状態）に、第１通信読取部８０１により全ての電子ペーパーを一括して読取り、分離後（搬送中）に、第２通信読取部８０２により媒体種別および載置順の判別を行うとともに画像読取部８１により紙媒体を光学的に読取るので、媒体種別に応じて効率的に原稿を読取り、かつ全ての原稿の電子データを載置順に整列することができる。
【図面の簡単な説明】
【０１７４】
【図１】本発明の実施の一形態としての複写機の断面図である。
【図２】本発明の実施の一形態としての自動原稿搬送装置の断面図である。
【図３】本発明の実施の一形態としての通信読取部のブロック図である。
【図４】本発明の実施の一形態としての電子ペーパー片面の概略図である。
【図５】本発明の実施の一形態としての電子ペーパーのブロック図である。
【図６】本発明の実施の一形態としての複写機のブロック図である。
【図７】本発明の実施の一形態としての搬送制御（給紙）のフローチャートである。
【図８】図７に続く搬送制御（給紙）のフローチャートである。
【図９】図８に続く搬送制御（給紙）のフローチャートである。
【図１０】本発明の実施の一形態としての搬送制御（読取）のフローチャートである。
【図１１】図１０に続く搬送制御（読取）のフローチャートである。
【図１２】図１１に続く搬送制御（読取）のフローチャートである。
【図１３】本発明の実施の一形態としてのプレフィードのフローチャートである。
【図１４】本発明の実施の一形態としての順序テーブルの説明図である。
【符号の説明】
【０１７５】
２１  複写機（画像読取装置、画像形成装置）
２３  ＡＤＦ（搬送手段を含む）
２４  原稿テーブル（原稿載置手段）
２５〜２７  原稿長さ検出センサ
３２  給紙ベルト
３３  リバースローラ
３６  プルアウトローラ対
３７  読取入口ローラ対
４０  読取出口ローラ対
４２  排紙ローラ
４３  排紙トレイ（排紙載置手段）
４４、１２１、１２４  切替爪
４５  反転ローラ対
４６ａ  再給紙通路
４６ｂ  再給紙通路
４９  反転センサ
５３  反転通路
５５  退避台通路
５６  ベルト反転通路
５７  排紙通路
８１  画像読取部（光学読取手段）
８３  感光体ドラム（画像形成手段）
８６  現像装置（画像形成手段）
８７  転写ベルト（画像形成手段）
８８  クリーニング装置（画像形成手段）
１００  コントローラ（搬送制御手段、判別手段、電子データ蓄積手段、電子データ整列手段、コンピュータ）
１０２  給紙モータ
１０３  読取モータ
１０４  反転モータ
１１１  本体制御部（読取制御手段、判別手段、電子データ蓄積手段、電子データ整列手段、コンピュータ）
１２２  搬送ベルト
１２３ａ〜１２３ｇ  ベルトローラ
１２５  ベルトセンサ
８０１  第１通信読取部（通信読取手段）
８０１ａ  アンテナ部（第２の通信手段）
８０１ｂ  通信制御部（第２の通信手段）
８０１ｃ  記憶部
８０２  第２通信読取部（判別手段）
８０２ａ  アンテナ部（第３の通信手段）
８０２ｂ  通信制御部（第３の通信手段）
８０２ｃ  記憶部
９００  電子ペーパー
９０１、９０１ａ、９０１ｂ、９０１ｃ  アンテナコイル（外部通信手段）
９０２  ＩＣチップ（電子データ記憶手段、第１の通信手段、外部通信手段、制御手段）
９０３  電子ペーパー記憶素子（電子データ記憶手段）
９０４  電子ペーパー表示器（画像表示手段）
９０５  電子ペーパードライバ（画像表示手段）
９０６  電源
９０８  第１の表示領域
９０９  第２の表示領域
９１０  第３の表示領域
Ｐ  原稿束（電子ペーパー、紙媒体）
Ｓ１〜Ｓ５  転写紙（用紙、記録媒体）
【図１】
0005015669.tif 000002
【図２】
0005015669.tif 000003
【図３】
0005015669.tif 000004
【図４】
0005015669.tif 000005
【図５】
0005015669.tif 000006
【図６】
0005015669.tif 000007
【図７】
0005015669.tif 000008
【図８】
0005015669.tif 000009
【図９】
0005015669.tif 000010
【図１０】
0005015669.tif 000011
【図１１】
0005015669.tif 000012
【図１２】
0005015669.tif 000013
【図１３】
0005015669.tif 000014
【図１４】
0005015669.tif 000015